(57)【要約】【課題】電極や有機物層を封止手段で中空封止した場合に、中空内部の水分やガスの吸着効率を向上でき、かつ、封止手段と基板との接着力を強固にすることが可能な電気光学装置、電子機器、および画像形成装置を提供することを目的とする。【解決手段】基板１０１上に、第１電極１０２と、有機化合物からなる発光層を含む有機物層１０３と、第２電極１０４とを順次積層して、第２電極側１０４から光を出射する電気光学装置１００において、第１電極１０２、有機物層１０３、および第２電極１０４を中空封止する封止キャップ１０５を基板１０１上に貼り合わせ、基板１０１の封止キャップ１０５との接合面１０１ｄを除く非有効表示領域および／または封止キャップ１０５の基板１０１との接合面１０５ｄを除く非有効表示領域に溝１０８，１０９を形成し、当該溝１０８，１０９に乾燥剤１０７を充填する。【選択図】        図１
2005183353.tif 000002
【特許請求の範囲】
【請求項１】
基板上に、少なくとも、第１電極と、有機化合物からなる発光層を含む有機物層と、第２電極とが順次積層されてなり、前記第２電極側から光を出射する電気光学装置において、
前記第１電極、前記有機物層、および前記第２電極を中空封止する封止手段を前記基板上に貼り合わせ、
前記基板の前記封止手段との接合面を除く非有効表示領域および前記封止手段の前記基板との接合面を除く非有効表示領域のうちの少なくともいずれか一方に溝を形成し、当該溝に乾燥剤を充填したことを特徴とする電気光学装置。
【請求項２】
前記封止手段は、透明の封止キャップからなることを特徴とする請求項１に記載の電気光学装置。
【請求項３】
前記封止手段は、透明の封止用基板からなることを特徴とする請求項１に記載の電気光学装置。
【請求項４】
前記封止手段が、透明の封止用基板と、前記第１電極と有機物層と第２電極とからなる積層体が形成された基板と前記封止基板との間を所定間隔に保持し、前記積層体の周囲を囲む枠状体とから構成されることを特徴とする請求項１に記載の電気光学装置。
【請求項５】
前記乾燥剤が、前記枠状体の内周面の少なくとも一部に形成された溝に充填されていることを特徴とする請求項４に記載の電気光学装置。
【請求項６】
前記乾燥剤は、化学吸着性のある材料であることを特徴とする請求項１〜請求項５のいずれか１つに記載の電気光学装置。
【請求項７】
一対の基板間に、電子素子又は発光素子と、前記一対の基板間の間隔を所定間隔に保ち、前記電子素子又は発光素子の周囲を囲う枠状体とを含んで構成され、
前記枠状体の内周面の少なくとも一部に凹部が形成されており、当該凹部内に乾燥剤が配置されていることを特徴とする電気光学装置。
【請求項８】
一対の基板間に、電子素子又は発光素子と、前記一対の基板間の間隔を所定間隔に保ち、前記電子素子又は発光素子の周囲を囲う枠状体とを含み構成され、
前記枠状体の内周面に乾燥剤から構成される層が設けられていることを特徴とする電気光学装置。
【請求項９】
前記枠状体が、一体的又は複数の部材を組合わせて形成されていることを特徴とする請求項７又は請求項８に記載の電気光学装置。
【請求項１０】
請求項１〜請求項９のいずれか１つに記載の電気光学装置を搭載したことを特徴とする電子機器。
【請求項１１】
請求項１〜請求項９のいずれか１つに記載の電気光学装置を搭載したことを特徴とする画像形成装置。
【発明の詳細な説明】
【技術分野】
【０００１】
電気光学装置、電子機器、および画像形成装置に関し、詳細には、基板上に、少なくとも、第１電極と、有機化合物からなる発光層を含む有機物層と、第２電極とが順次積層されてなり、前記第２電極側から光を出射し、その中空内部の水分やガスを効率的にトラップする電気光学装置、電子機器、および画像形成装置に関する。
【背景技術】
【０００２】
有機ＥＬ素子は、薄型、全固体型、面状自発光及び高速応答であるといった特徴を有する発光素子であり、フラットディスプレイパネルやバックライトへの応用が期待されることから、近年各方面で盛んに研究が行われている。以前、有機ＥＬ素子は、無機物を用いた無機ＥＬ素子に比べて素子特性が著しく劣っていたが、１９８７年にコダック社のＴａｎｇらが有機物層を積層構成にする方法を発表してから［Ｃ．Ｗ．Ｔａｎｇ ａｎｄ Ｓ．Ａ．Ｖａｎｓｌｙｋｅ：Ａｐｐｌ．Ｌｅｔｔ．５１（１９８７）９１３］素子特性が向上し、急速に発展している。また、近年、有機ＥＬ素子をディスプレイパネルに用いた、商品も発売されつつある。
【０００３】
有機ＥＬ素子は、通常、基板／第一電極／有機物層／第二電極の構成を有する。有機物層は、少なくとも有機化合物からなる発光層を含むが、素子特性向上のためにさらに複数の電荷輸送層を含むものが多い。また、水分や酸素分に弱い素子に対して信頼性を確保するために、第二電極の上部に封止処理が施されているものもある。
【０００４】
このような素子に、電圧を印加すると、発光層に一方の電極から電子が注入されるとともに、他方の電極からホールが注入され、電子とホールの再結合により励起された有機分子が基底状態に緩和するときに発光が得られる。この素子は、発光層全体から発光が得られるので、面状発光素子となり、素子の第一電極側又は第二電極側を通して光を取り出すことになる。従って、有機ＥＬ素子が、例えば基板／第一電極／有機物層／第二電極／封止層から構成される場合は、基板と第一電極又は第二電極と封止層が透明である必要がある。
【０００５】
第一電極側から発光を取り出す方式（ボトムエミッション方式）の有機ＥＬパネルでは、発光が基板を通過する際に基板内での全反射等による発光ロスが生じるという問題や開口率が低くなるという問題があるため、近年、第二電極側より発光を取り出す方式（トップエミッション方式）が採用されている。
【０００６】
かかるトップエミッション方式の有機ＥＬ装置では、素子の信頼性を確保するために、通常、第二電極の上部に封止処理が行われている。封止処理としては、素子全体をフィルムや高分子樹脂で密閉する方法や、封止キャップ等により中空封止する方法などが挙げられる。以下に、中空封止について説明する。封止キャップは有効表示領域に対応する部分が座繰された構造になっており、有効表示領域の周辺部（ディスプレイパネルの額縁部）にのみ封止接着面が設けられる。従って、有効表示領域では、封止キャップと基板は接触することなく座繰された深さ分の隙間が形成されており、中空構造となっている。このような中空構造を有する封止方法を、一般に中空封止と呼んでいる。密閉する方法では素子に応力がかかり、素子を構成する積層層が剥離するおそれがあるので、現在では中空封止する方法が主流となっている。
【０００７】
かかる封止キャップは、水分を通しにくい接着用樹脂で基板に接着されている。また、素子の信頼性をさらに向上させるために、封止キャップ内に乾燥剤が充填されている。この乾燥剤は、中空内部に進入する水分や酸素分を吸着して有機物層の品質を保っている。
図７は、従来の有機ＥＬパネル（特許文献１）の断面構成を示す図である。図７において、基板６０１上には、第１電極６０２と、有機化合物からなる発光層を含む有機物層６０３と、第二電極６０４が積層されている。封止キャップ６０６は、接着用樹脂６０７で基板６０１に接合され、第一電極６０２、有機物層６０３および第二電極６０４を中空封止している。また、封止キャップ６０６の封止部（接合面）には、溝が形成されており、この溝には乾燥剤６０８が充填されている。この乾燥剤６０８は、中空内部に進入する水分や酸素分を吸着する。
【特許文献１】特開２００２−５０４７１号公報
【発明の開示】
【発明が解決しようとする課題】
【０００８】
しかしながら、上記従来技術にあっては、封止キャップの基板との封止部（接合面）に溝を形成して乾燥剤を埋め込む構成であるため、乾燥剤を広い領域に設けることができず、中空内部の水分やガスの吸着効率が悪いという問題がある。また、封止部（接合面）に乾燥剤を埋め込んでいるため、封止キャップの基板に対する接着力が弱くなるという問題がある。
【０００９】
本発明は、上記課題に鑑みてなされたものであり、電極や有機物層を封止手段で中空封止した場合に、中空内部の水分やガスの吸着効率を向上でき、かつ、封止手段と基板との接着力を強固にすることが可能な電気光学装置、電子機器、および画像形成装置を提供することを目的とする。
【課題を解決するための手段】
【００１０】
上記課題を解決して、上記目的を達成するために、本発明は、基板上に、少なくとも、第１電極と、有機化合物からなる発光層を含む有機物層と、第２電極とが順次積層されてなり、前記第２電極側から光を出射する電気光学装置において、前記第１電極、前記有機物層、および前記第２電極を中空封止する封止手段を前記基板上に貼り合わせ、前記基板の前記封止手段との接合面を除く非有効表示領域および前記封止手段の前記基板との接合面を除く非有効表示領域の少なくとも一方に、溝を形成し、当該溝に乾燥剤を充填したことを特徴とする。
【００１１】
上記発明によれば、封止手段で第１電極、有機物層、および第２電極を中空封止し、基板の封止手段との接合面を除く非有効表示領域および／または封止手段の基板との接合面を除く非有効表示領域に溝を形成し、当該溝に乾燥剤を充填して、この乾燥剤により、電気光学装置の中空内部に浸入するガスや水分を吸着する。これにより、乾燥剤を充填する領域を広くすることができ、電気光学装置の中空内部に浸入する水分やガスを効率的に吸着して、有機物層の品質を保持すること可能となり、また、接合面には乾燥剤を充填していないので、封止手段と基板との接着力を強固にすることが可能となる。この結果、電極や有機物層を封止手段で中空封止した場合に、中空内部の水分やガスの吸着効率を向上でき、かつ、封止手段と基板との接着力を強固にすることが可能な電気光学装置を提供することができる。
【００１２】
また、本発明の好ましい態様によれば、封止手段は、透明の封止キャップからなることが望ましい。これにより、封止キャップで第１電極、有機物層、および第２電極を中空封止しているので、密閉方式に比して、第１電極、有機物層、および第２電極に応力がかからなくなり、これらが剥離することを防止できる。
【００１３】
また、本発明の好ましい態様によれば、前記封止手段は、透明の封止用基板からなることが望ましい。これにより、封止用基板で第１電極、有機物層、および第２電極を中空封止しているので、密閉方式に比して、第１電極、有機物層、および第２電極に応力がかからなくなり、これらが剥離することを防止でき、また、封止用基板を使用しているのでその部品コストを低減できる。
【００１４】
また、本発明の好ましい態様によれば、前記封止手段が、透明の封止用基板と、前記第１電極と有機物層と第２電極とからなる積層体が形成された基板と前記封止基板との間を所定間隔に保持し、前記積層体の周囲を囲む枠状体とから構成されることが望ましい。これにより、封止用基板で第１電極、有機物層、および第２電極を中空封止しているので、密閉方式に比して、第１電極、有機物層、および第２電極に応力がかからなくなり、これらが剥離することを防止でき、また、内部を座繰りしたガラス等から構成される高価な封止キャップを用いず、封止用基板を使用しているのでその部品コストを低減できる。また、封止用基板と、第１電極と有機物層と第２電極とが積層された基板との間隔を、枠状体により保持しているため、シール材等により接合する場合に比し、封止手段の強度を向上することが可能となる。
【００１５】
また、本発明の好ましい態様によれば、前記乾燥剤が、前記枠状体の内周面の少なくとも一部に形成された溝に充填されていることが望ましい。乾燥剤が、枠状体に配置されることで、電気光学装置の有効表示領域をより一層広げることが可能となる。
【００１６】
なお、枠状体は、一体的に形成されたものでも、複数の部材を組合わせたものであってもよい。一体的に形成されたものであれば、部材間の繋ぎ目が経るので、密閉性をより高めることが可能となる。また、複数の部材を組合わせたものであれば、乾燥剤充填用の溝等の形成が容易となる。
【００１７】
また、本発明の好ましい態様によれば、前記乾燥剤は、化学吸着性のある材料であることが望ましい。これにより、物理吸着を行う材料に比して、より効率的に中空内部の水分やガスを吸着することができる。
【００１８】
本発明の他の態様は、一対の基板間に、電子素子又は発光素子と、前記一対の基板間の間隔を所定間隔に保ち、前記電子素子又は発光素子の周囲を囲う枠状体とを含み構成され、前記枠状体の内周面の少なくとも一部に凹部が形成されており、当該凹部内に乾燥剤が配置されている電気光学装置である。
【００１９】
これによれば、枠状体の内周面の凹部内に乾燥剤が配置され、電気光学装置の表示領域となる面に乾燥剤が配置されることがないので、電気光学装置の有効表示領域をさらに広げることが可能となる。ここで、電子素子としては、例えばトランジスタ、ダイオード、キャパシタ、抵抗、インダクタ等が挙げられ、発光素子としては、有機又は無機ＥＬ素子等が挙げられる。
【００２０】
本発明のさらなる他の態様は、一対の基板間に、電子素子又は発光素子と、前記一対の基板間の間隔を所定間隔に保ち、前記電子素子又は発光素子の周囲を囲う枠状体とを含んで構成され、前記枠状体の内周面に乾燥剤から構成される層が設けられている電気光学装置である。
【００２１】
これによれば、枠状体の内周面の凹部内に乾燥剤が配置され、電気光学装置の表示領域となる面に乾燥剤が配置されることがないので、電気光学装置の有効表示領域をさらに広げることが可能となる。さらに、枠状体の内周面に凹部を形成する工程を必要としないので、作業工程を減らすことができ、最終製品のコスト低減が可能となる。
【００２２】
また、前記枠状体は、一体的又は複数の部材を組合わせて形成されていてもよい。一体的に形成されたものであれば、部材間の繋ぎ目が経るので、密閉性をより高めることが可能となる。また、複数の部材を組合わせたものであれば、乾燥剤充填用の溝等の形成が容易となる。
【００２３】
また、本発明の好ましい態様によれば、本発明の電気光学装置を電子機器に搭載することが望ましい。これにより、電極や有機物層を封止手段で中空封止した場合に、中空内部の水分やガスの吸着効率を向上でき、かつ、封止手段と基板との接着力を強固にすることが可能な電気光学装置を搭載した電子機器を提供することができる。
【００２４】
また、本発明の好ましい態様によれば、本発明の電気光学装置を画像形成装置に搭載することが望ましい。これにより、電極や有機物層を封止手段で中空封止した場合に、中空内部の水分やガスの吸着効率を向上でき、かつ、封止手段と基板との接着力を強固にすることが可能な電気光学装置を搭載した画像形成装置を提供することができる。
【発明を実施するための最良の形態】
【００２５】
以下に、この発明につき図面を参照しつつ詳細に説明する。なお、この実施例によりこの発明が限定されるものではない。また、下記実施例における構成要素には、当業者が容易に想定できるものまたは実質的に同一のものが含まれる。
【実施例１】
【００２６】
図１は、本発明の実施例１に係る電気光学装置１００の断面構造を示す図、図２は電気光学装置１００の封止キャップ１０５の平面図を示している。実施例１に係る電気光学装置１００は、封止キャップ１０５を使用したトップエミッション型の有機ＥＬパネルである。図１において、１０１は基板、１０２は反射陽極（第１電極）、１０３は有機化合物からなる発光層を含む有機物層、１０４は透明陰極（第２電極）、１０５は封止キャップ（封止手段）、１０６は封止用接着剤、１０７は乾燥剤を示している。
【００２７】
基板１０１には、必要に応じてＴＦＴやＴＦＤ等のスイッチング素子が形成される。この基板１０１の上表面には、Ａｌ／ＩＴＯ（またはＩＺＯ等）からなる反射陽極１０２が形成されている。反射陽極１０２上には、有機化合物からなる発光層を含む有機物層１０３が形成されている。有機物層１０３は、単層型（発光層）、２層型（発光層＋電子輸送層／ホール輸送層）、３層型（電子輸送層／発光層／ホール輸送層）、４層型（電子注入層／発光層／ホール輸送層／ホール注入層）、５層型（電子注入層／電子輸送層／発光層／ホール輸送層／ホール注入層）のいずれでもよい。この有機物層１０３は、インクジェット法を使用して形成することができる。有機物層１０３の上には、ＩＴＯまたはＩＺＯ等からなる透明陰極１０４が形成されている。
【００２８】
そして、反射陽極１０２、有機物層１０３、および透明陰極１０４を中空封止するために、封止手段である封止キャップ１０５が封止用接着剤１０６で基板１０１に接合されている。より具体的には、基板１０１上の接合面（周縁部）１０１ｄに熱硬化樹脂または紫外線硬化樹脂からなる封止用接着剤１０６を塗布し、窒素、アルゴン、ヘリウム等の不活性ガス雰囲気下で封止キャップ１０５を重ねた後、加熱または紫外線照射して、封止用接着剤１０６を硬化させて、封止キャップ１０５と基板１０１を接合する。封止キャップ１０５としては、例えば、ガラス製の中空封止用の封止キャップを使用することができる。
なお、封止キャップ１０５には、ガラスの代わりに、石英、アクリル、シリコン、プラスチック等を使用することにしても良い。
【００２９】
封止キャップ１０５は、図１および図２に示すように、中空部１０５ａと、中空部１０５ａを形成する上壁部１０５ｂおよび側壁部１０５ｃとを有している。この封止キャプ１０５には、基板１０１との接合面１０５ｄを除く非有効表示領域（光を遮らない領域）に溝１０８が形成されており、この溝１０８には乾燥剤１０７が充填されている。実施例１では、封止キャップ１０５の上壁部１０５ｂの内周面に溝１０８を矩形の枠状に形成し、この溝１０８に乾燥剤１０７を充填している。なお、封止キャップ１０５の形状としては、第一電極１０２、有機物層１０３、および第二電極１０４を封止することができれば特に限定されるものではなく、例えば、長方体、正方体、円柱状、円錐状、半球状等の形状でもよい。
【００３０】
同様に、上述の基板１０１の上表面には、封止キャップ１０５との接合面１０１ｄを除く非有効表示領域に溝１０９が形成されており、この溝１０９には乾燥剤１０７が充填されている。溝１０８，１０９の形状は、乾燥剤１０７を充填することが可能な形状であれば如何なる形状としてもよく、また、溝の個数は、一つまたは複数個形成されていてもよい。乾燥剤１０７としては、化学吸着性を有することによる水分吸収能力の高い材料を用いることができ、例えば、酸化バリウム、五酸化二リン、酸化カルシウム等が好ましい。
かかる乾燥剤１０７は、電気光学装置１００の中空内部に進入する水分やガスを効率的に吸着して有機物層１０３の品質を保持している。
【００３１】
なお、上記実施例１では、基板１０１および封止キャップ１０５の両者に溝１０８，１０９を形成して、乾燥剤１０７を充填する構成であるが、基板１０１および封止キャップ１０５のいずれか一方に溝を形成して乾燥剤１０７を充填することにしても良い。
【００３２】
上記実施例１によれば、基板１０１上に、第１電極１０２と、有機化合物からなる発光層を含む有機物層１０３と、第２電極１０４とを順次積層して、第２電極側１０４から光を出射する電気光学装置１００において、第１電極１０２、有機物層１０３、および第２電極１０４を中空封止する封止キャップ１０５を基板１０１上に貼り合わせ、基板１０１の封止キャップ１０５との接合面１０１ｄを除く非有効表示領域および封止キャップ１０５の基板１０１との接合面１０５ｄを除く非有効表示領域の少なくとも一方に溝１０８，１０９を形成し、当該溝１０８，１０９に乾燥剤１０７を充填した構成である。
【００３３】
かかる構成では、封止キャップ１０５で第１電極１０２、有機物層１０３、および第２電極１０４を中空封止し、基板１０１の封止キャップ１０５との接合面１０１ｄを除く非有効表示領域および／または封止キャップ１０５の基板１０１との接合面１０５ｄを除く非有効表示領域に溝１０８，１０９を形成し、当該溝１０８，１０９に乾燥剤１０７を充填して、この乾燥剤１０７により、電気光学装置１００の中空内部に浸入するガスや水分を吸着する。これにより、乾燥剤１０７を充填する領域を広くすることができ、電気光学装置１００の中空内部に浸入する水分やガスを効率的に吸着して、有機物層１０３の品質を保持すること可能となり、また、接合面１０１ｄ，１０５ｄには乾燥剤１０７を充填していないので、封止キャップ１０５と基板１０１との接着力を強固にすることが可能となる。また、封止キャップ１０５または基板１０１の加工歩留まりを高くすることができ、低コスト化することが可能となる。さらに、基板１０１の表示部以外の配線部や封止キャップ１０５のその対向部に乾燥剤１０７を埋め込むことにより、デットスペースを活用でき、表示面積を広くとることができ、狭額縁化が可能となる。
【００３４】
この結果、電極や有機物層を封止手段で中空封止した場合に、中空内部の水分やガスの吸着効率を向上でき、かつ、封止手段と基板との接着力を強固にすることが可能な電気光学装置を提供することができる。
【００３５】
また、上記実施例１によれば、封止手段として、透明の封止キャップ１０５を使用して、第１電極１０２、有機物層１０３、および第２電極１０４を中空封止しているので、密閉方式に比して、第１電極１０２、有機物層１０３、および第２電極１０４に応力がかからなくなり、これらが剥離することを防止できる。また、実施例１によれば、乾燥剤１０７として、化学吸着性のある材料を使用しているので、物理吸着を行う材料に比して、より効率的に中空内部の水分やガスを吸着することができる。
（変形例）
図３は、本発明の実施例１の変形例に係る電気光学装置１００の断面構造を示す図である。図３において、図１と同等機能を有する部位には同一符号を付し、その説明を省略する。上記実施例１では、封止キャップ１０５の上壁部１０５ｂの内周面に溝１０８を形成して、この溝１０８に乾燥剤１０７を充填する構成である。これに対して、変形例では、図３に示すように、さらに、封止キャップ１０５の側壁部１０５ｃの内周面に溝１１０を形成して、この溝１１０に乾燥剤１０７を充填する構成である。これにより、乾燥剤１０７を充填する領域を広くすることができ、電気光学装置１００の中空内部に進入する水分やガスをより効率的に吸着することが可能となる。
【実施例２】
【００３６】
図４は、実施例２に係る有機ＥＬ表示装置２００の断面構造を示す図である。図４において、図１と同等機能を有する部位には同一符号を付し、その説明を省略する。上記実施例１は、封止手段として、封止キャップ１０５を使用した構成である。これに対して、実施例２は、封止手段として、封止用基板２０１を使用した構成である。図４において、基板１０１上の接合面（周縁部）１０１ｄに熱硬化樹脂または紫外線硬化樹脂からなる封止用接着剤２０２を塗布し、窒素、アルゴン、ヘリウム等の不活性ガス雰囲気下で封止用基板２０１を重ねた後、加熱または紫外線照射して、封止用接着剤２０２を硬化させて、封止用基板２０１と基板１０１を接合している。封止用基板２０１の基板１０１との接合面２０１ｄを除く非有効表示領域（光を遮らない領域）に溝２０３が形成されており、この溝２０３には乾燥剤１０７が充填されている。封止用基板２０１には、例えば、ガラス、石英、アクリル、シリコン、プラスチック等を使用することができる。
【００３７】
上記実施例２によれば、封止手段として、透明の封止用基板２０１を使用して、当該封止用基板２０１で第１電極１０２、有機物層１０３、および第２電極１０４を中空封止しているので、密閉方式に比して、第１電極１０２、有機物層１０３、および第２電極１０４に応力がかからなくなり、これらが剥離することを防止でき、また、封止用基板２０１を使用しているので、実施例１の封止キャップ１０５を使用した場合に比してその部品コストを低減できる。
【実施例３】
【００３８】
図８は、他の態様に係る有機ＥＬ表示装置の一例を説明するための図であり、図８（ａ）は断面図を、図８（ｂ）は分解斜視図を示す。図８において、図１乃至図４と対応する部分については同一符号を付し、説明を省略する。
【００３９】
実施例２では、基板１０１と封止用基板２０１を封止用接着剤２０２により直接接合したが、本実施例では、基板１０１と封止用基板２０１とを封止部材３０１を介して接合している。
【００４０】
図８（ａ）及び（ｂ）に示すように、本実施形態では、封止部材３０１としては、第１電極１０２、有機物層１０３及び第２電極１０４から構成される積層体１１０の周囲を囲う枠状体（枠体）が用いられる。枠状体は、一体的に形成されていると、さらに密閉性が高まるので好ましい。なお、図示しないが、枠状体は、複数の部材により形成されていてもよい。この場合には、凹部３０３の形成等が容易となる。封止部材３０１を構成する材料としては、例えば、セラミックス、金属、樹脂等が挙げられ、外界からの水・酸素等を透過し難い材質のものであることが望ましい。封止部材３０１の内周には、凹部３０３が形成されており、その中に乾燥剤１０７が配置されている。凹部３０３は、同図では、封止部材３０１の内周を連続的に一巡する溝構造を有しているが、これに限定されず、図８（ｃ）及び図８（ｄ）に示すように、断続的に形成されていてもよい。また、凹部３０３断面の形状は、矩形状、半円状、楔状等のいずれであってもよい。また、封止部材３０１は、封止用接着剤１０６を介して基板１０１及び封止用基板２０１に接合される。
【００４１】
本実施例によれば、基板１０１と封止用基板２０１を封止部材３０１を介して接合している。したがって、封止用接着剤２０２のみを利用して接合する場合に比較し、有機ＥＬ表示装置３０１の強度を向上することが可能となる。また、封止部材３０１を介することで、確実に基板１０１と封止用基板２０１との間の間隔を所定間隔に保持することが可能となる。また、封止基板２０１と封止部材３０１が別体であるので、封止部材３０１側の加工が容易となり、装置側面（封止部材３０１内周面）への乾燥剤１０７の充填工程を容易にすることが可能となる。また、本実施例によれば、乾燥剤１０７が有機ＥＬ表示装置３０１側面に配置されることで、基板１０１及び封止用基板２０１に乾燥剤１０７を配置する必要がなくなるので、有効表示領域を広くすることが可能となる。なお、基板１０１及び封止用基板２０１に乾燥剤１０７を配置することを除外するものではない。
【実施例４】
【００４２】
図９は、さらなる他の態様に係る有機ＥＬ表示装置の一例を説明するための図であり、図９（ａ）は断面図を、図９（ｂ）は分解斜視図を示す。図９において、図１乃至図４と対応する部分については同一符号を付し、説明を省略する。
【００４３】
実施例３では、基板１０１と封止用基板２０１とを封止部材３０１を介して接合し、この封止部材３０１に凹部３０３を設けてその中に乾燥剤１０７を充填している。これに対し、本実施例では、封止部材３０１の内周面全体に、乾燥剤１０７から構成される層を設けている。
【００４４】
図９（ａ）及び（ｂ）に示すように、枠状の封止部材３０１の内周面に、乾燥剤１０７から構成される層を設けている。この層の製法は特に限定されず、例えば、乾燥剤１０７を粘度の低い樹脂等に分散させ、封止部材３０１の内周面に塗布することにより形成してもよく、また、所定形状に成形した固形状の乾燥剤１０７を接着剤等により貼り付けることにより形成してもよい。
【００４５】
本実施例によれば、基板１０１と封止用基板２０１を封止部材３０１を介して接合している。したがって、封止用接着剤２０２のみを利用して接合する場合に比較し、有機ＥＬ表示装置３００の強度を向上することが可能となる。また、封止部材３０１を介することで、確実に基板１０１と封止用基板２０１との間の間隔を所定間隔に保持することが可能となる。また、封止基板２０１と封止部材３０１が別体であるので、装置側面（封止部材３０１内周面）へ乾燥剤１０７から構成される層を形成する工程が容易となる。また、本実施例によれば、凹部を形成することもないので、加工手順を低減することができ、乾燥剤１０７が封止部材３０１の内周面全面に塗布されているので、除湿効果を一層向上し得る。さらに、乾燥剤１０７が有機ＥＬ表示装置３００側面に配置されることで、基板１０１及び封止用基板２０１に乾燥剤１０７を配置する必要がなくなるので、有効表示領域を広くすることが可能となる。なお、基板１０１及び封止用基板２０１に乾燥剤１０７を配置することを除外するものではない。
（電子機器への適用例）
つぎに、本発明に係る電気光学装置を適用可能な電子機器の具体例について図５を参照して説明する。図５−１は、本発明に係る電気光学装置を可搬型のパーソナルコンピュータ（いわゆるノート型パソコン）３００の表示部に適用した例を示す斜視図である。同図に示すように、パーソナルコンピュータ３００は、キーボード３０１を備えた本体部３０２と、本発明に係る電気光学装置を適用した表示部３０３とを備えている。図５−２は、本発明に係る電気光学装置を携帯電話機４００の表示部に適用した例を示す斜視図である。同図に示すように、携帯電話機４００は、複数の操作ボタン４０１のほか、受話口４０２、送話口４０３とともに、本発明に係る電気光学装置を適用した表示部４０４を備えている。
【００４６】
本発明に係る電気光学装置は、上述した携帯電話機やノートパソコン以外にも、ＰＤＡ（Personal Digital Assistants）と呼ばれる携帯型情報機器、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く適用することができる。
（画像形成装置への適用例）
つぎに、本発明に係る電気光学装置を画像形成装置に適用した場合について図６を参照して説明する。図６は、本発明に係る電気光学装置を画像形成装置５００の露光手段（プリンタヘッド）に適用した例を示す模式的な断面図である。
【００４７】
同図に示すように、画像形成装置５００は、潜像を形成する感光体５０１と、感光体５０１を帯電する帯電手段（帯電ローラ）５０２と、画像データに応じた光を感光体５０１に書き込む、本発明の電気光学装置を適用した露光手段（プリンタヘッド）５０３と、露光手段５０３から照射される光を集光する集光手段（ロッドレンズアレイ）５０４と、感光体５０１にトナー像を形成する現像手段５０５と、感光体５０１に形成されたトナー像を転写紙に転写する転写手段（転写ローラ）５０６と、転写紙を搬送する転写紙搬送手段５０７とを備えている。かかる構成の画像形成装置５００では、帯電、露光、現像、および転写のプロセスを経て転写紙にトナー像が印字される。
【産業上の利用可能性】
【００４８】
本発明の電気光学装置は、有機ＥＬ表示装置、エレクトロミック調光ガラス、電子ペーパー、照明装置、およびプリンタヘッド等に広く利用可能である。また、本発明に係る電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く利用することができる。また、本発明に係る画像形成装置は、プリンタ、複写機、ファクシミリ、デジタル複合機などの画像形成装置に広く利用することができる。
【図面の簡単な説明】
【００４９】
【図１】本発明の実施例１に係る電気光学装置の断面図。
【図２】本発明の実施例１に係る電気光学装置の封止キャップの平面図。
【図３】本発明の変形例に係る電気光学装置の断面図。
【図４】本発明の実施例２に係る電気光学装置の断面図。
【図５−１】実施例に係る電気光学装置を備えたパソコンの斜視図。
【図５−２】実施例に係る電気光学装置を備えた携帯電話機の斜視図。
【図６】実施例に係る電気光学装置を備えた画像形成装置の断面図。
【図７】従来の電気光学装置の断面図。
【図８】他の態様に係る有機ＥＬ表示装置の一例を説明するための図。
【図９】さらなる他の態様に係る有機ＥＬ表示装置の一例を説明するための図。
【符号の説明】
【００５０】
１００  電気光学装置、１０１  基板、１０２  反射陽極（第１電極）、１０３  有機物層、１０４  透明陰極（第２電極）、１０５  封止キャップ、１０５ａ  中空部、１０５ｂ  上壁部、１０５ｃ  側壁部、  １０５ｄ，１０１ｄ  接合面、１０６  封止用接着剤、１０７  乾燥剤、１０８，１０９，１１０，１０１ａ  溝、２００  電気光学装置、２０１  封止用基板、２０１ｄ  接合面、２０２  封止用接着剤、２０３  溝、３００  コンピュータ、３０１  キーボード、３０２  本体部、３０３  表示部、４００  携帯電話機、４０１  操作ボタン、４０２  受話口、４０３  送話口、４０４  表示部、５００  画像形成装置、５０１  感光体、５０２  帯電手段（帯電ローラ）、５０３  露光手段（プリンタヘッド）、５０４  集光手段（ロッドレンズアレイ）、５０５  現像手段、５０６  転写手段（転写ローラ）、５０７  転写紙搬送手段、６０１  基板、６０２  第１電極、６０３  有機物層、６０４  第二電極、６０６  封止キャップ、６０７  接着用樹脂、６０８  乾燥剤
【図１】
2005183353.tif 000003
【図２】
2005183353.tif 000004
【図３】
2005183353.tif 000005
【図４】
2005183353.tif 000006
【図５−１】
2005183353.tif 000007
【図５−２】
2005183353.tif 000008
【図６】
2005183353.tif 000009
【図７】
2005183353.tif 000010
【図８】
2005183353.tif 000011
【図９】
2005183353.tif 000012